(57)【要約】【課題】  溶剤が遠心分離容器の回転軸と軸受の間に侵入しにくくし、部品交換の手間と費用を低減する。【解決手段】  抽出液回収容器３０の側面部を、外側カバー３２と外側カバー３２の内側にスペーサ８３を介することで外カバー３２との間に間隔を開けて支持された内壁部材としての内カバー８０、８１からなる多重構造とし、内カバー８０の下端と８１の上端の間の開口８２を、遠心分離容器１の抽出液噴出方向に対向するように設け、抽出液が開口８２を通して内カバー８０、８１と外カバー３２の間に噴入するように形成し、かつ開口８２に、抽出液の勢いを抑制するメッシュ状の整流部材８４を設けた。【選択図】        図６
2015157890.tif 000002
【特許請求の範囲】
【請求項１】
アスファルト混合物と溶剤を収納可能でアスファルト成分の溶出した抽出液をろ過しながら半径方向外側へ噴出する遠心分離容器と、遠心分離容器を囲繞するように配設されて抽出液を回収する抽出液回収容器と、遠心分離容器の下側に連結される回転軸と、抽出液回収容器の底部に設けられて回転軸を回転自在に支持する軸受と、回転軸と軸受の間をシールするシール部材とを含み、遠心分離容器を回転駆動する回転駆動手段と、遠心分離容器に外部から溶剤を注入する溶剤注入手段と、を備えたアスファルト抽出装置において、
前記抽出液回収容器の側面部を外側カバーと、外側カバーの内側に間隔を開けて支持された内壁部材とからなる多重構造とし、
内壁部材の内、遠心分離容器の抽出液噴出方向に相当する部分に開口を設けて、抽出液が開口を通して内壁部材と外カバーの間に噴入するように形成したこと、
を特徴とするアスファルト抽出装置。
【請求項２】
開口または外カバーと開口との間に、抽出液の跳ね返りを抑制する跳ね返り抑制手段を設けたこと、
を特徴とする請求項１記載のアスファルト抽出装置。
【請求項３】
跳ね返り抑制手段は、メッシュ状または金属タワシ状としたこと、
を特徴とする請求項２記載のアスファルト抽出装置。
【請求項４】
抽出液回収容器の底部上面に回転軸を囲むようにして凹部が形成されており、
この凹部の軸受側の上縁近傍に、凹部に溜まった抽出液が軸受側に移動するのを阻止する邪魔板を設けたこと、
を特徴とする請求項１乃至３の内のいずれか一項記載のアスファルト抽出装置。
【発明の詳細な説明】
【技術分野】
【０００１】
本発明はアスファルト抽出装置に係り、とくにアスファルト混合物と溶剤を収容した遠心分離容器を高速回転させ、遠心分離容器の周囲を囲んだ抽出液回収容器でアスファルト成分の溶けた抽出液を回収するようにしたアスファルト抽出装置に関する。
【背景技術】
【０００２】
道路舗装では規格によりアスファルトの含有量が定められており、プラントで試作したり、施工現場から抜き取ったりして用意したアスファルト混合物のサンプルを用いてアスファルト含有量を検査している。アスファルト混合物からアスファルト成分と骨材を分離回収するために、遠心分離式のアスファルト抽出装置が広く用いられている。この装置は、例えば特許文献１に示す如く、円筒状のカバーと底部容器からなる抽出液回収容器内の抽出室にアスファルト混合物と溶剤を収納可能な遠心分離容器を配置し、遠心分離容器の下部中央に連結した回転軸を抽出室の下方へ延設して下端にインバータ式のモータを結合した構成を有する。そして、抽出液回収容器の上方外側に設置された溶剤タンクと溶剤供給パイプを介して接続された溶剤供給ノズルが抽出室内の上方から遠心分離容器の中央部に設けた溶剤導入部に遊挿してある。抽出液回収容器の底部容器の抽出室側上面には回転軸を中心とするリング状の凹部が設けられている。凹部から底部容器の下面まで開けられた溶剤排出孔に溶剤排出パイプを介して溶剤・アスファルト分離装置が接続してある。底部容器には加熱ヒータと水冷パイプが設置してある。遠心分離容器は下側のなべ形の容器本体と上側の円盤形の蓋を有し、容器本体の縁の上面と蓋の縁の下面の間にリング状のろ紙を挟んで着脱自在に一体化してある。
【０００３】
抽出室を形成するカバーを開け、所定量のアスファルト混合物を収納した遠心分離容器を回転軸に連結し、カバーを閉じ、溶剤供給パイプに設けた電磁弁を制御して溶剤供給ノズルから所定量の溶剤を遠心分離容器内に供給させ、一定時間静置して浸漬処理をし、溶剤にアスファルト成分を溶出させる。このあと、モータを回し遠心分離容器を毎分約３０００回転で高速回転させ、遠心分離容器の側面側のろ紙でろ過しながら、半径方向外側へアスファルト成分の溶けた抽出液を噴出させる。この際、溶剤供給パイプに設けた電磁弁を制御して追加溶剤を一定流量で溶剤供給ノズルから遠心分離容器内に供給させる。抽出室に噴出された抽出液は抽出液回収容器のカバーの内側面に当たって跳ね返りながら底部容器の凹部に溜まり、溶剤排出孔、溶剤排出パイプを介して溶剤・アスファルト分離装置に送られ、抽出液の加熱気化と冷却により溶剤が回収されるとともに、アスファルト成分の分離がなされる。
溶剤を一定量追加した所で追加を止め、暫く高速遠心分離を継続した後、一定時間低速回転状態としながら底部容器のヒータを通電し、抽出室を加熱することで遠心分離容器を加熱して溶剤の気化回収を促す。最後に、ヒータを止め底部容器の水冷パイプに冷水を回して抽出室と遠心分離容器を冷やす。遠心分離容器内に骨材成分、ろ紙にフィラー成分が残るので、予め、サンプルを計量しておけば、アスファルト成分量がわかる。
【０００４】
ところで、遠心分離容器を高速回転させる回転軸は抽出室を形成する底部容器の中央に取り付けられた軸受により軸支されている。遠心分離容器が高速回転中、抽出室には遠心分離容器の側面から噴出し、カバーで跳ね返った抽出液滴がたくさん舞っており、軸受周りにもたくさん付着する。このため、軸受と回転軸の間は溶剤が入り込まないようにオイルシールにより密閉してある。
けれども、高速回転中に軸受と回転軸の間に生じる負圧により、抽出室に舞って軸受周りに付着した溶剤が軸受と回転軸の側に吸い寄せられてオイルシールが溶剤に浸ってしまう。溶剤に浸った状態で更に乾燥工程の熱が加わるため、抽出作業の度にオイルシールは熱化学的に侵されるため、極めて早く劣化してしまう問題があった。即ち、オイルシールが耐用年数まで持たずオイルシールを頻繁に交換しなければならなかったり、溶剤が軸受の中に侵入して軸受のボールベアリング等が劣化し、軸受が耐用年数まで持たず頻繁に交換せざるをえなくなるという問題があった。
【先行技術文献】
【特許文献】
【０００５】
【特許文献１】実用新案登録第３１７２７４６号公報
【発明の概要】
【発明が解決しようとする課題】
【０００６】
本発明は上記した従来技術の問題に鑑み、溶剤が遠心分離容器の回転軸と軸受の間に侵入しにくくし、部品交換の頻度を低減することのできるアスファルト抽出装置を提供することを、その目的とする。
【課題を解決するための手段】
【０００７】
請求項１記載の発明では、アスファルト混合物と溶剤を収納可能でアスファルト成分の溶出した抽出液をろ過しながら半径方向外側へ噴出する遠心分離容器と、遠心分離容器を囲繞するように配設されて抽出液を回収する抽出液回収容器と、遠心分離容器の下側に連結される回転軸と、抽出液回収容器の底部に設けられて回転軸を回転自在に支持する軸受と、回転軸と軸受の間をシールするシール部材とを含み、遠心分離容器を回転駆動する回転駆動手段と、遠心分離容器に外部から溶剤を注入する溶剤注入手段と、を備えたアスファルト抽出装置において、前記抽出液回収容器の側面部を外側カバーと、外側カバーの内側に間隔を開けて支持された内壁部材とからなる多重構造とし、内壁部材の内、遠心分離容器の抽出液噴出方向に相当する部分に開口を設けて、抽出液が開口を通して内壁部材と外カバーの間に噴入するように形成したこと、を特徴としている。
請求項２記載の発明では、開口または外カバーと開口との間に、抽出液の跳ね返りを抑制する跳ね返り抑制手段を設けたこと、を特徴としている。
請求項３記載の発明では、跳ね返り抑制手段は、メッシュ状または金属タワシ状としたこと、を特徴としている。
請求項４記載の発明では、抽出液回収容器の底部上面に回転軸を囲むようにして凹部が形成されており、この凹部の軸受側の上縁近傍に、凹部に溜まった抽出液が軸受側に移動するのを阻止する邪魔板を設けたこと、を特徴としている。
【発明の効果】
【０００８】
本発明によれば、遠心分離容器の側面から半径方向外側に噴出した抽出液は、抽出液回収容器の内壁部材の開口から内壁部材と外カバーの間に噴入し、外カバーと内壁部材との間を通って下方へ落下するので、抽出液回収容器内に舞う抽出液の液滴量が大幅に減少し、遠心分離容器に連結された回転軸とその軸受の周りに付着する抽出液の量が減る。このため、回転軸と軸受の間に負圧が生じても、シール部材が抽出液に侵されにくくなり、シール部材や軸受のボールベアリング等の劣化が遅くなり、これらの部品の交換頻度が減ってメンテナンスの手間と費用が軽減する。
また、開口または外カバーと開口の間に跳ね返り抑制手段を設けたことにより、抽出液の跳ね返り自体が低減されるので、より一層、抽出液回収容器内に舞う抽出液の液滴量が減少する。
また、遠心分離容器の側面から半径方向外側に噴出し、抽出液回収容器の底部上面の凹部に溜まった抽出液が回転軸と軸受の間の負圧で軸受側に吸い寄せられようとしても、邪魔板により阻止されるので、これによってもシール部材が抽出液に侵されにくくなる。
【図面の簡単な説明】
【０００９】
【図１】本発明に係るアスファルト抽出装置の主要部の概略構成図である（実施例１）。
【図２】遠心分離容器各部の断面図である。
【図３】遠心分離容器の蓋を閉じて一体化した状態を示す断面図である。
【図４】遠心分離容器と回転軸の連結機構の説明図である。
【図５】一体化された内カバーと整流部材を示す外観斜視図である。
【図６】本発明の作用説明図である。
【発明を実施するための最良の形態】
【００１０】
以下、本発明の最良の形態を実施例に基づき説明する。
【実施例１】
【００１１】
図１を参照して本発明に係るアスファルト抽出装置の実施例を説明する。図１はアスファルト抽出装置の要部構成図である。
図１において、１はアスファルト混合物と溶剤を収納可能な遠心分離容器であり、高速回転されるとアスファルト成分の抽出液がろ紙（図２の符号１１参照））でろ過されながら側面から半径方向外側に噴出するようになっている。遠心分離容器１は図２、図３に示す如く、皿形の容器本体２と円盤状の蓋３を含む。容器本体２は中央が断面山形に盛り上がるとともに、外側が斜め上方に立ち上がって縁４の上面５に同心円状の凹凸部６が形成されている。蓋３は縁７の下面８に同心円状の凹凸部９が形成されており、容器本体２の上に中心を合わせて載せたとき、互いの凹凸部６、９が噛合するようになっている。このリング状の噛合面１０にはリング状のろ紙１１が挟まれて、抽出液のフィラー成分がろ過されるようになっている。蓋３の中央部には円柱状の穴１２の空いたボス部１３が固着されている。蓋３のボス部１３の外側には複数の空気抜き孔１４が開けられており、溶剤の注入が円滑に行なわれるようになっている。容器本体２の中央部には外面に段差部１５を有し、上端から下端近くまでボス部１３の穴１２と連続する円柱状の穴１６が開けられるとともに容器本体２の下面より下方に突出した回転軸連結部１７が螺着されている。回転軸連結部１７の上端は蓋３を容器本体２にセットしたとき、ボス部１３の下端に接する。回転軸連結部１７の上段の下部には穴１６と遠心分離容器１の内部空間を連通する横向きの溶剤吐出用の小穴１８が放射状に複数個設けられている。回転軸連結部１７の穴１６の下端部は径が小さくなって雌ネジ部１９が形成されている。回転軸連結部１７の下端部の側面には横向きのピン穴２０が開けられており、後述する固定ピンを差し込めるようになっている。図３に示す如くボス部１３の穴１２、回転軸連結部１７の穴１６に棒状の溶剤導入金具２１を密接的に挿入し、溶剤導入金具２１の先端部を雌ネジ部１９に螺合することで、蓋３を容器本体２に一体化可能になっている。
【００１２】
溶剤導入金具２１は、上下方向の中央部分から下端にかけて、外形が穴１２、穴１６、雌ネジ部１９と略同形の挿入部２２を有し、挿入部２２の上側にボス部１３に当接する段差部２３が形成され、内部に漏斗形の溶剤注入穴２４が設けられている。挿入部２２の下端部は雄ネジ部２５であり、雌ネジ部１９と着脱自在に螺合する。溶剤注入穴２４の下端部に相当する挿入部２２の外周は径が一段細くなって段差部２６となっており、雄ネジ部２５を回転軸連結部１７の雌ネジ部１９に螺合したときの段差部２６と穴１６の間の隙間２７に相当する個所の回転軸連結部１７に小穴１８が開けられている。挿入部２２の段差部２６には溶剤注入穴２４の下端と隙間２７を連通する横向きの溶剤吐出用の穴２８が放射状に複数個設けられている。
遠心分離容器１は溶剤導入金具２１を外した状態で、蓋３を開けて検査対象であるアスファルト混合物を容器本体２に所定量収納し、容器本体２と蓋３の噛合面１０にろ紙１１を挟みながら蓋３を被せ、溶剤導入金具２１を穴１２、１６に挿入して雄ネジ部２５を雌ネジ部１９に螺合することにより、一体化される（図３参照）。
【００１３】
図１に戻って、３０は遠心分離容器１の周囲（上下面及び側面）を囲繞する抽出液回収容器であり、内部が抽出室Ｓを形成する。抽出液回収容器３０はアルミ製の底部容器３１と上壁及び側壁を有する円筒状のステンレス製の外カバー（スリーブ）３２からなり、外カバー３２は両側のエアシリンダ３３により昇降自在になっている。エアシリンダ３３のアクチュエータ３６は、外カバー３２の下端近くの側壁から水平に突設された円環状のツバ部３７の下面側に固着されている。底部容器３１の周縁の上端にはリング状のパッキン３８が嵌着されており、エアシリンダ３３が外カバー３２を最下降させたとき、ツバ部３７の下面がパッキン３８に密接して抽出室Ｓを密閉するようになっている。
【００１４】
４０は遠心分離容器１を回転する回転軸であり、上端の連結部４１の中に遠心分離容器１の回転軸連結部１７が挿入可能になっている。連結部４１には回転軸連結部１７を挿入したときのピン穴２０と直線的に対向するピン穴４２と、ピン穴４２の入り口の外側に装着された円筒状のガイド４３が設けられている。図４（１）、（２）に示す如くガイド４３にはＬ字状の溝４４が刻設されており、固定ピン４５には溝４４に遊挿嵌可能な突起４６が突設されている。固定ピン４５を用いて遠心分離容器１と回転軸４０を連結する際、突起４６を溝４４に嵌めながら固定ピン４５をガイド４３に挿入して先端部をピン穴４２と２０に差し込み（図４（１）参照）、最後に固定ピン４５を溝４４に沿って回して係合させる（図４（２）参照）。
【００１５】
回転軸４０は底部容器３１を貫通して下方に延設されており、下端にインバータ式のモータ４７が結合されている。モータ４７は図示しない支持部材を介して底部容器３１の下面に装着されている。回転軸４０は底部容器３１の中央に上下方向に向けて密閉装着された円筒状の軸受４８により回転自在に軸支されている。軸受４８は上下端部近くにボールベアリング４９、５０を内蔵している。また、軸受４８の上端には回転軸４０との隙間をシーリングするオイルシール５１が装着されている。軸受４８の下端には円筒状の蓋５２が装着されており、この蓋５２と回転軸４０との隙間をシーリングするオイルシール５３が装着されている。
【００１６】
外カバー３２の上面の中央には溶剤供給ノズル６０が固定されている。外カバー３２が下降状態にあるとき、溶剤供給ノズル６０の先端は遠心分離容器１の溶剤導入金具２１の溶剤注入穴２３の中に遊挿される。外カバー３２の上方には溶剤タンク６１が設置されており、フレキシブルな溶剤供給パイプ６２を介して溶剤供給ノズル６０と接続されている。溶剤供給パイプ６２の途中には電磁弁６３が設けられており、溶剤の供給を制御可能となっている。
【００１７】
底部容器３１の上面には回転軸４０を中心としてリング状に形成された凹部３４が設けられており、遠心分離容器１の側面の内、噛合面１０から半径方向外側へ噴出し、抽出室Ｓの中に飛び散った抽出液が溜まるようになっている。底部容器３１には凹部３４の底から底部容器３１の下面まで抽出液排出穴３５が設けられており、この抽出液排出穴３５には抽出液排出パイプ７０を介して溶剤・アスファルト分離装置７１が接続されており、溶剤の加熱気化及び冷却による溶剤の回収とアスファルト成分の分離が行なわれる。
底部容器３１には加熱用のヒータ７２、水冷用の冷却パイプ７３なども設けられている。
抽出液回収容器３０の外カバー３２の外径は底部容器３１の凹部３４の内径と略同一に形成されており、外カバー３２が下降状態にあるとき、外カバー３２の下部が凹部３４の中に入り込み抽出室Ｓを密閉状態とする。
【００１８】
抽出液回収容器３０の外カバー３２の内側には、上下２段の内壁部材としての円筒状のステンレス製の内カバー８０、８１が外カバー３２との間に間隔を開けて配設されている。内カバー８０の下端と８１の上端の間の開口８２は遠心分離容器１の側面の噛合面１０に対向している。上側の内カバー８０の上端は外カバー３２の上壁近くまで延設されている。内カバー８０の上端を外カバー３２の上壁に接するようにしても良い。下側の内カバー８１の下部は周方向に複数個設けられたスペーサ８３により外カバー３２に固着されている。内カバー８０の下端部と８１の上端部には開口８２を塞ぐようにしてステンレス製でメッシュ状の円筒形の整流部材８４が固着されている。整流部材８４は例えばステンレス板に多数の孔を蜂の巣状に打ち抜き加工した部材、ステンレス製の針金をメッシュ状に編んだ部材などを用いることができる。
上カバー８０、整流部材８４、下カバー８１は全体が円筒状に一体化されている（図５参照）。整流部材８４は跳ね返り抑制手段としての機能を有し、遠心分離容器１の側面からの抽出液の噴流を分散させて勢いを弱めながら開口８２を通過させる。
【００１９】
底部容器３１の凹部３４の軸受４８側の上縁には、凹部３４に溜まった抽出液が軸受４５の側に移動するのを阻止するリング状で斜め下に開いたラッパ状の邪魔板９０が設けられている。邪魔板９０は軸受４８の上端のフランジ部５４と底部容器３１の内側の立ち上がり部３９の間にリング状のパッキン９１、９２を介して挟着されている。邪魔板９０は凹部３４の内側上縁から半径方向外側に突設されており、凹部３４に溜まった抽出液が軸受４８の上面に引き寄せられて邪魔板９０の下面を移動しようとする際、抽出液に働く重力で元の凹部３４に落下するようになっている。
【００２０】
次に、上記したアスファルト抽出装置の作用を説明する。
エアシリンダ３３により外カバー３２を上昇させて抽出室Ｓを開け、所定量のアスファルト混合物を収納した遠心分離容器１を回転軸４０に連結する。エアシリンダ３３により外カバー３２を下降させて抽出室Ｓを閉じ、溶剤注入パイプ６２に設けた電磁弁６３を制御して溶剤供給ノズル６０から所定量の溶剤を遠心分離容器１の中に供給させ、一定時間静置して浸漬処理をし、溶剤にアスファルト成分を溶出させる。
このあと、モータ４７を回し遠心分離容器１を毎分約３０００回転で高速回転させ、遠心分離容器１の側面側のろ紙１１でフィラー成分をろ過しながら、噛合面１０から半径方向外側へアスファルト成分の溶けた抽出液を噴出させる。この際、電磁弁６３を制御して追加溶剤を一定流量で溶剤供給ノズル６０から遠心分離容器１に供給させる。抽出室Ｓに噴出された抽出液は上下２段の内カバー８０、８１の間の開口８２に設けられたメッシュ状の整流部材８４により分散されて勢いを弱めながら開口８２から外カバー３２の側に入り、外カバー３２と内カバー８０、８１の間を落下し、底部容器３１の凹部３４に溜まる（図６の矢印ａ〜ｃ、ａ’〜ｃ’参照）。この際、遠心分離容器１から噴出した抽出液は抽出室Ｓの中に殆んど跳ね返らないので、底部容器３１の中央の軸受４の周りに付着する抽出液の液滴量が非常に少なくなる。よって、回転軸４０の高速回転で軸受４８と回転軸４０の間に生じる負圧で軸受４８の周りの抽出液が吸い寄せられようとしても、量が少なくオイルシール４８が抽出液に熱化学的に侵されるのを効果的に抑制することができる。
【００２１】
また、凹部３４に溜まった抽出液は、回転軸４０の高速回転により軸受４５と回転軸４０の間に生じる負圧で軸受４８の上端側に吸い寄せられるが、邪魔板９０により凹部３４から軸受４８の上端側への移動が阻止される。これによっても、オイルシール５１が抽出液に侵されるのを効果的に抑制することができる（図６の矢印ｄ、ｄ’参照）。
底部容器３１の凹部３４に溜まった抽出液は溶剤排出孔３５、溶剤排出パイプ７０を介して溶剤・アスファルト分離装置７１に送られ、溶剤とアスファルト成分が分離されるとともに、溶剤が回収される。
【００２２】
溶剤を一定量追加した所で追加を止め、暫く高速遠心分離を継続した後、一定時間低速回転状態としながら底部容器３１のヒータ７２を通電し、抽出室Ｓを加熱することで遠心分離容器１を加熱して溶剤の気化回収を促す。最後に、ヒータ７２の通電を止め底部容器３１の水冷パイプ７３に冷水を回して抽出室Ｓと遠心分離容器１を冷やす。遠心分離容器１の中に骨材成分、ろ紙１１にフィラー成分が残るので、予め、サンプルを計量しておけば、アスファルト成分量がわかる。
【００２３】
この実施例によれば、抽出室Ｓに噴出された抽出液は、上下２段の内カバー８０、８１の間の開口８２に設けられたメッシュ状の整流部材８４で分散されて抽出液の跳ね返りが抑制されながら外カバー３１と内カバー８０、８１の間を落下し、底部容器３１の凹部３４に溜まる。この際、遠心分離容器１から噴出した抽出液は抽出室Ｓの中に殆んど跳ね返らないので、底部容器３１の中央の軸受４８の周りに付着する抽出液の液滴量が非常に少なくなり、オイルシール５１が抽出液に熱化学的に侵されるのを効果的に抑制することができる。また、底部容器３１の凹部３４に溜まった抽出液は、回転軸４０の高速回転により軸受４８と回転軸４０の間に生じる負圧で軸受４８の上端側に吸い寄せられるが、邪魔板９０により凹部３４から軸受４８の上端側への移動が阻止されるので、これによってもオイルシール５１が抽出液に熱化学的に侵されるのを効果的に抑制することができる。従って、オイルシール５１や軸受４９、５０の耐用年数が長くなり、これらの部品の交換頻度が減少してメンテナンスのための手間と費用を抑制できる。
【００２４】
なお、上記した実施例では、上段の内カバーの上端を外カバーの上壁近くまで延設したが、上壁まで延設し一定的に固着しても良い。また、整流部材はメッシュ状とする以外に、金属たわし状など他の形状としてもよい。また、整流部材を上下の内カバーの間の開口を塞ぐように設けたが、開口と外カバーの間で開口から少し離れた場所に設けても良い。また、整流部材を省略しても良く、この場合、上下２段の内カバーの間の開口から入った抽出液の噴流は外カバーに当たって跳ね返るが、大部分は内カバーに当たって外カバーと内カバーの間を落下するので、抽出室に舞う抽出液の液滴を大幅に減らすことができる。
また、上記した実施例では、邪魔板は斜め下に開いたラッパ状としたが、水平な平板状としても良い。また、邪魔板の断面を波状としても良い。また、邪魔板省略しても良い。
【産業上の利用可能性】
【００２５】
本発明は、遠心分離容器を用いたアスファルト抽出装置に適用できる。
【符号の説明】
【００２６】
１  遠心分離容器
１０  噛合面
３０  抽出液回収容器
３１  底部容器
３２  外カバー
３４  凹部
４０  回転軸
４８  軸受
５１、５３  オイルシール
８０、８１  内カバー
８２  開口
８４  整流部材
９０  邪魔板
【図１】
2015157890.tif 000003
【図２】
2015157890.tif 000004
【図３】
2015157890.tif 000005
【図４】
2015157890.tif 000006
【図５】
2015157890.tif 000007
【図６】
2015157890.tif 000008